(57)【要約】【課題】非接触給電の利便性を維持しつつ、電気機器そのものを搭載できかつ角度調整ができ、電気機器の機能、性能を最大に発揮できる非接触アダプタを提供することにある。【解決手段】非接触アダプタ２０の筐体２１は、ヒンジ３１を介して台座３０を連結した。台座３０は筐体２１に対して傾動する。筐体２１の上面２１ｂに形成した収容凹部３２に収納した支持アーム３３を起立させる。そして、その支持アーム３３の先端部を、台座３０の下面３０ｂに形成した複数の嵌合凹部３４のうちの希望する傾斜角度の対応する嵌合凹部３４に嵌合させる。これによって、台座３０は、支持アーム３３によって支持されて希望する傾斜角度となる。【選択図】図３
2014099953.tif 000002
【特許請求の範囲】
【請求項１】
交番磁束と交鎖して誘起電圧を発生する受電コイルと、
前記受電コイルが発生する誘起電圧を入力し、電気機器に必要な電源仕様の電源を生成する電源回路部と、
前記電気機器と電気的に結合し、前記電源回路部が生成した電源電圧を電気機器に出力する出力部と
を有した非接触アダプタであって、
前記受電コイルを下側に収容する筐体の上側に前記電気機器を載置するための台座を形成し、前記台座と前記筐体との間に前記電気機器の傾斜角度を段階的又は無段階に調整する傾斜角度調整部材を設けたことを特徴とする非接触アダプタ。
【請求項２】
請求項１に記載の非接触アダプタにおいて、
前記傾斜角度調整部材は、前記台座を前記筐体に対して回動可能に連結した連結部材と、前記台座と前記筐体との間であって、前記台座又は前記筐体の少なくともいずれか一方に前記台座を傾斜保持する支持部材と
を有したことを特徴とする非接触アダプタ。
【請求項３】
請求項２に記載の非接触アダプタにおいて、
前記支持部材は、一方の前記台座又は前記筐体に回動可能に設けた回動支持部材であって、前記回動支持部材が回動してその前記回動支持部材の先端が、他方の前記台座又は前記筐体に当接して、前記台座を前記筐体に対して傾斜保持することを特徴とする非接触アダプタ。
【請求項４】
請求項３に記載の非接触アダプタにおいて、
前記回動支持部材の先端が当接する他方の前記台座又は前記筐体には、前記回動支持部材が回動することによって、その先端が予め定めた複数位置でそれぞれ係合保持される１つ又は複数の嵌合保持部が形成され、前記台座を前記筐体に対して１つ又は複数の傾斜角度で傾斜保持することを特徴とする非接触アダプタ。
【請求項５】
請求項１に記載の非接触アダプタにおいて、
前記傾斜角度調整部材は、前記台座を前記筐体に対して回動可能に連結するとともに、前記筐体に対して傾斜した前記台座を回動不能にする連結固定部材であることを特徴とする非接触アダプタ。
【請求項６】
請求項１に記載の非接触アダプタにおいて、
前記傾斜角度調整部材は、前記台座を前記筐体に対して回動可能に連結した連結部材と、前記台座と前記筐体との間であって、前記筐体に対して傾斜した前記台座を回動不能にする傾斜保持部材とを有したことを特徴とする非接触アダプタ。
【発明の詳細な説明】
【技術分野】
【０００１】
本発明は非接触アダプタに関するものである。
【背景技術】
【０００２】
従来から、給電装置から受電装置へ非接触にて給電を行う非接触給電システムが種々提案されている。特に、非接触給電システムおいて、携帯電話等のモバイル機器を中心にコードレス置くだけ充電の実用化が、近年広く進んでいる（例えば、特許文献１）。
【０００３】
これらの実用化の進んでいる非接触給電システムでは、１次コイルに高周波電流を流し、電磁誘導を用いて２次コイルを通じて、非接触で電気機器に給電するものである。
この原理のため、２次コイルは給電エリアの１次コイルの磁束を十分受ける場所に設置しなければ安定給電はできないことから、１次コイルのほぼ真上に２次コイルを置かれるようにしなければならない。
【０００４】
ところで、ノートパソコン等のモバイル機器は、充電と作業を同時に行う必要があることから、モバイル機器をユーザが使用しやすい位置に置かなければならない。しかしながら、モバイル機器に、２次コイルを内蔵している形態では、機器自体を給電エリアに置いて、不自由な姿勢で作業を強いられる問題が生じる。
【０００５】
これを解決する方法として、２次コイルを内蔵した非接触アダプタを利用する方法がある（例えば、特許文献１、特許文献２）。これは、２次コイルが内蔵された非接触アダプタを１次コイルに設置し、接続電線を使い電気機器につなぐものである。
【先行技術文献】
【特許文献】
【０００６】
【特許文献１】特許第４１３５２９９号公報
【特許文献２】特許第４２００２５７号公報
【発明の概要】
【発明が解決しようとする課題】
【０００７】
ところで、この非接触アダプタは、電気機器自体の活用範囲を広げるのに有効であるが、逆に、電気機器を置く位置によっては、非接触アダプタ自体や、接続電線が邪魔になる場合がある。例えば、１次コイルが設置されている位置に電気機器を置いて作業をする場合である。
【０００８】
また、電気機器の中には例えばプロジェクタとも呼ばれる可搬可能な投影装置等は、投影のための角度調整が必要である。この種の電気機器を非接触アダプタを利用しようとすると、これら角度調整機能を持たせるために、別の置物を利用したり、電気機器そのものに角度調整機構を装備する必要がある。
【０００９】
本発明は、上記問題を解決するためになされたものであり、その目的は、非接触給電の利便性を維持しつつ、電気機器そのものを搭載できかつ角度調整ができることで、電気機器の機能、性能を最大に発揮できる非接触アダプタを提供することにある。
【課題を解決するための手段】
【００１０】
上記課題を解決するために、本発明の非接触アダプタは、交番磁束と交鎖して誘起電圧を発生する受電コイルと、前記受電コイルが発生する誘起電圧を入力し、電気機器に必要な電源仕様の電源を生成する電源回路部と、前記電気機器と電気的に結合し、前記電源回路部が生成した電源電圧を電気機器に出力する出力部とを有した非接触アダプタであって、前記受電コイルを下側に収容する筐体の上側に前記電気機器を載置するための台座を形成し、前記台座と前記筐体との間に前記電気機器の傾斜角度を段階的又は無段階に調整する傾斜
また、上記構成において、前記傾斜角度調整部材は、前記台座を前記筐体に対して回動角度調整部材を設けた構成である。可能に連結した連結部材と、前記台座と前記筐体との間であって、前記台座又は前記筐体の少なくともいずれか一方に前記台座を傾斜保持する支持部材とを有したことが好ましい。
【００１１】
また、上記構成において、前記支持部材は、一方の前記台座又は前記筐体に回動可能に設けた回動支持部材であって、前記回動支持部材が回動してその前記回動支持部材の先端が、他方の前記台座又は前記筐体に当接して、前記台座を前記筐体に対して傾斜保持することが好ましい。
【００１２】
また、上記構成において、前記回動支持部材の先端が当接する他方の前記台座又は前記筐体には、前記回動支持部材が回動することによって、その先端が予め定めた複数位置でそれぞれ係合保持される１つ又は複数の嵌合保持部が形成され、前記台座を前記筐体に対して１つ又は複数の傾斜角度で傾斜保持することが好ましい。
【００１３】
また、上記構成において、前記傾斜角度調整部材は、前記台座を前記筐体に対して回動可能に連結するとともに、前記筐体に対して傾斜した前記台座を回動不能にする連結固定部材であることが好ましい。
【００１４】
また、上記構成において、前記傾斜角度調整部材は、前記台座を前記筐体に対して回動可能に連結した連結部材と、前記台座と前記筐体との間であって、前記筐体に対して傾斜した前記台座を回動不能にする傾斜保持部材とを有したことが好ましい。
【発明の効果】
【００１５】
本発明によれば、非接触給電の利便性を維持しつつ、電気機器そのものを搭載できかつ角度調整ができる。
【図面の簡単な説明】
【００１６】
【図１】本実施形態の非接触アダプタの使用状態を示す全体斜視図。
【図２】同じく、非接触アダプタの後方から見た一部切りかけ斜視図。
【図３】同じく、非接触アダプタの側面図。
【図４】同じく、非接触アダプタの電気的構成を示す電気ブロック回路図。
【図５】別の実施形態の非接触アダプタを示す側面図。
【図６】別の実施形態の非接触アダプタを示す側面図。
【図７】別の実施形態の非接触アダプタを示す側面図。
【図８】別の実施形態の非接触アダプタを示す側面図。
【図９】別の実施形態の非接触アダプタを示す全体斜視図。
【発明を実施するための形態】
【００１７】
以下、本発明の非接触アダプタの実施形態を図１〜図４に従って説明する。
図１に示すように、机１の天板２内には、非接触給電装置（以下、給電装置という）１０が同天板２の中央位置に収納固設されている。給電装置１０の筐体内には、給電コイル１１と、高周波電流を生成しその高周波電流を給電コイル１１に通電する高周波インバータ１３（図４参照）とが設けられている。
【００１８】
給電装置１０の筐体内に設けられた給電コイル１１は、その筐体の上側に配置され、そのコイル面が天板２の表面２ａと平行になるように配置されている。そして、給電コイル１１は、高周波インバータ１３からの高周波電流が通電されると、交番磁束を発生する。交番磁束は、天板２の表面２ａであって給電コイル１１の直上に位置する表面２ａから上方に向かって放射される。
【００１９】
給電コイル１１の直上位置の天板２には、非接触アダプタ２０が載置されている。非接触アダプタ２０は、四角箱状の筐体２１を有し、その筐体２１内には給電装置１０の給電コイル１１が発生する交番磁束と交鎖して誘起電圧を発生する受電コイル２２を有している。
【００２０】
筐体２１内の下側に配置された受電コイル２２は、そのコイル面が、給電コイル１１上の天板２に載置されたとき、給電コイル１１のコイル面と平行に相対向するように配置されている。そして、受電コイル２２は、給電コイル１１と相対向した状態で、給電コイル１１が発生する交番磁束と交鎖して誘起電圧を発生し、その誘起電圧を筐体２１内に設けた受電回路２９（図４参照）に出力するようになっている。
【００２１】
図２に示すように、筐体２１の後面２１ａには、コンセント２６及びＬＥＤ等の発光素子よりなる表示ランプ２７が設けられている。コンセント２６は、同コンセント２６の出力端子Ｔ３，Ｔ４（図４参照）が受電回路２９の外部出力端子Ｔ１，Ｔ２（図４参照）と電気的に接続されている。表示ランプ２７は非接触アダプタ２０が給電装置１０から受電しているかどうかを表示するランプである。
【００２２】
筐体２１の上面２１ｂには、台座３０が配置されている。台座３０は、板状であって上方から見ると筐体２１の上面２１ｂと同一形状をなしている。台座３０は筐体２１に対して傾動可能に連結されている。図２に示すように、台座３０は、その後面３０ａと筐体２１の後面２１ａとの間に左右一対のヒンジ３１が連結されている。そして、台座３０は、左右一対のヒンジ３１の連結軸間を結ぶ軸線Ｏを回動中心として傾動する。
【００２３】
図２に示すように、筐体２１の上面２１ｂの前寄りには、前後方向に延びる左右一対の収容凹部３２が凹設されている。左右一対の収容凹部３２には、支持アーム３３が収納されている。支持アーム３３は、その前側の基端部が収容凹部３２内で回動可能に軸支され、収容凹部３２に収納される収納位置と、図２に示す後側の先端部が収容凹部３２から突出し台座３０と直角になる位置まで起立する起立位置の２位置の間を回動するようになっている。
【００２４】
図３に破線で示すように、台座３０は、その下面３０ｂであって筐体２１の上面２１ｂに形成した収容凹部３２と対向する位置に、支持アーム３３の先端部が嵌合する嵌合凹部３４が前後方向に複数個形成されている。従って、各嵌合凹部３４に対して支持アーム３３が嵌合する嵌合凹部３４を変えることによって、台座３０の傾斜角度は、変更される。
【００２５】
詳述すると、台座３０は、支持アーム３３が収納位置にある時、図３に２点鎖線で示す、筐体２１の上面２１ｂと当接した水平位置に配置される。また、台座３０は、支持アーム３３と直角位置にある時、図３に実線で示ように、筐体２１に対して台座３０の下面３０ｂが最大の角度（最大傾斜角度）に傾動支持された最大傾斜位置に配置される。そして、台座３０は、水平位置と最大傾斜位置の間において、嵌合凹部３４の数だけ傾斜角度が選択される。
【００２６】
台座３０の上面３０ｃには、電気機器としてのプロジェクタ４０が載置される。このとき、台座３０が水平配置と、最大傾動配置の間で複数の傾斜角度に段階的に支持されることから、プロジェクタ４０を段階的に希望する傾斜した配置状態で載置させることができる。そして、プロジェクタ４０の電源プラグ４１を筐体２１の後面２１ａに設けたコンセント２６に差し込むことにより、プロジェクタ４０は非接触アダプタ２０から駆動電源が受けられることになる。
【００２７】
次に、上記のように構成した給電装置１０と非接触アダプタ２０の電気的構成を説明する。
まず、給電装置１０について説明する。図４に示すように、給電装置１０は、電源回路１２と高周波インバータ１３を有している。
【００２８】
電源回路１２は、整流回路及びＤＣ／ＤＣコンバータを有し、外部から商用電源を入力して整流回路にて整流する。電源回路１２は、整流した直流電圧をＤＣ／ＤＣコンバータにて所望の電圧に変換した後、その直流電圧を駆動電源として高周波インバータ１３に出力する。
【００２９】
高周波インバータ１３は、電源回路１２からの駆動電源を入力して発振して高周波電流を生成する。高周波インバータ１３は、給電コイル１１と接続されていて、生成した高周波電流を同給電コイル１１に流すようになっている。これによって、給電コイル１１は、高周波電流が通電されることで、交番磁束を発生する。
【００３０】
図４において、非接触アダプタ２０は、受電コイル２２と接続する受電回路２９を備える。受電回路２９は、整流平滑回路、ＤＣ／ＡＣ変換回路を有している。受電回路２９は、整流平滑回路にて受電コイル２２が発生する誘起電圧をリップルのない直流電圧に変換しＤＣ／ＡＣ変換回路にてプロジェクタ４０の電源仕様のための電源電圧に変換する。受電回路２９はプロジェクタ４０の仕様のあわせた電源電圧を外部出力端子Ｔ１，Ｔ２に出力する。
【００３１】
外部出力端子Ｔ１，Ｔ２は、コンセント２６の出力端子Ｔ３，Ｔ４に接続されている。そして、コンセント２６の出力端子Ｔ３，Ｔ４は、プロジェクタ４０の電源プラグ４１のプラグ端子Ｔ５，Ｔ６と接続される。これによって、プロジェクタ４０は、受電回路２９（非接触アダプタ２０）からの電源電圧が印加される。
【００３２】
次に、上記のように構成した非接触アダプタ２０の作用について説明する。
今、台座３０にプロジェクタ４０を載置した非接触アダプタ２０を、給電装置１０の給電コイル１１が配置されている真上の天板２に載置する。これによって、筐体２１内の受電コイル２２は、給電コイル１１が発生する交番磁束と交鎖し誘起電圧を出力する。受電回路２９は、受電コイル２２が出力する誘起電圧に基づいてプロジェクタ４０のための駆動電源を生成する。
【００３３】
そして、台座３０に載せたプロジェクタ４０の電源プラグ４１を筐体２１に設けたコンセント２６に差し込むことによって、プロジェクタ４０は、非接触アダプタ２０から電源電圧が供給されて使用可能な状態となる。
【００３４】
また、台座３０は、ヒンジ３１を介して筐体２１に連結したことから、筐体２１に対して傾動する。そのとき、筐体２１の上面２１ｂに形成した収容凹部３２に収納した支持アーム３３を起立させる。その支持アーム３３の先端部を、台座３０の下面３０ｂに形成した複数の嵌合凹部３４のうちの希望する傾斜角度の対応する嵌合凹部３４に嵌合させる。これによって、台座３０は、支持アーム３３によって支持されて希望する傾斜角度となる。その結果、台座３０に載置されたプロジェクタ４０は、希望する傾斜角度に設定されて映像を映写する。
【００３５】
次に、上記のように構成した実施形態の効果を以下に記載する。
（１）上記実施形態によれば、筐体２１を給電コイル１１が設置されている箇所に配置すれば、非接触アダプタ２０は、台座３０に載置したプロジェクタ４０に対して駆動電源を供給することができる。
【００３６】
（２）上記実施形態によれば、ヒンジ３１を介して筐体２１に台座３０を連結し、同台座３０を筐体２１に対して傾動可能にした。そして、筐体２１に設けた支持アーム３３を起立させその先端部を希望する嵌合凹部３４に嵌合させて、台座３０を支持するようにした。
【００３７】
従って、台座３０は、支持アーム３３によって希望する傾斜角度に支持され、台座３０に載置されるプロジェクタ４０を、希望する傾斜角度に設定して映像を映写することができる。これによって、プロジェクタ４０の持つ機能、性能を最大に発揮できる。
【００３８】
しかも、台座３０の下面３０ｂに形成した嵌合凹部３４を複数個形成したので、台座３０の傾斜角度を設定する際、複数の傾斜角度の中から希望する傾斜角度を選択することができる。
【００３９】
（３）上記実施形態によれば、支持アーム３３は、その先端部が台座３０の下面３０ｂの形成した嵌合凹部３４に嵌合して台座３０を支持している。従って、支持アーム３３の先端部は、台座３０とプロジェクタ４０の重量によって嵌合凹部３４から容易に外れることはなく、強固に台座３０に載置されたプロジェクタ４０を希望する傾斜角度に保持することができる。
【００４０】
（別の実施形態）
○上記実施形態では、支持アーム３３を左右一対の２本設けたが、支持アーム３３を１本にして実施してもよい。
【００４１】
○上記実施形態では、支持アーム３３と嵌合する嵌合凹部３４を複数個形成したが、１つであって、台座３０が水平位置と最大傾斜位置の２位置に配置され最大傾斜位置のみの傾斜状態で配置されるようにしてもよい。勿論、図５及び図６に示す非接触アダプタ２０に応用して実施してよいことは勿論である。
【００４２】
○上記実施形態では、支持アーム３３が確実に台座３０を希望する傾斜角度で保持するように、支持アーム３３と嵌合する嵌合凹部３４を形成したが、これを省略して実施してもよい。この場合、支持アーム３３の回動軸部分にラチエット機構を設けて実施すれば、段階的に台座３０の傾斜角度を設定することができる。
【００４３】
○上記実施形態では、ヒンジ３１にて、筐体２１に対して台座３０を回動可能に連結した。これを、図５に示すように、筐体２１の上面２１ｂの後端左右両側に軸受け片５０を形成する。そして、この左右両側に設けた軸受け片５０間に台座３０の後側部を介在するとともに、支軸５１を一方に軸受け片５０から台座３０の後側部を貫通して他方の軸受け片５０に貫挿して筐体２１に対して台座３０を回動可能に連結してもよい。
【００４４】
このとき、図５に示すように、台座３０の前側を短く形成し、短く形成された台座３０の前側部に支持プレート５２を台座３０に対して回動可能に連結する。
詳述すると、筐体２１と台座３０の連結構造と同様に、台座３０の前端左右両側に軸受け部５３を延出形成する。そして、この左右両側に設けた軸受け部５３間に支持プレート５２の基端部を介在するとともに、支軸５４を一方に軸受け部５３から支持プレート５２の基端部を貫通して他方の軸受け部５３に貫挿して台座３０に対して支持プレート５２を回動可能に連結する。一方、筐体２１の上面２１ｂ前側に、左右方向に凹設された係合溝５５を複数個前後方向に形成する。
【００４５】
これによって、支持プレート５２の先端部を複数の係合溝５５の中から希望する係合溝５５に係合させることによって、上記実施形態と同様な効果を有する。
また、図６に示すように、筐体２１の上面２１ｂに、左右方向に凹設した収容溝５６を複数個前後方向に形成する。そして、その複数の収容溝５６の中の希望する収容溝５６に、円柱状のストッパ５７を配置し、該ストッパ５７にて台座３０の下面３０ｂを支承するようにする。これによって、ストッパ５７を、複数の収容溝５６の中から適宜収容する収容溝５６を選択して配置することによって、段階的に台座３０（プロジェクタ４０）の傾斜角度を設定することができる。
【００４６】
○上記実施形態では、台座３０（プロジェクタ４０）の傾斜角度を段階的に設定できるようにしたが、傾斜角度を無段階に設定できるようにしてもよい。
例えば、筐体２１に対して台座３０を回動可能に連結され、台座３０と筐体２１との間に形態が可変する可動機構を設ける。詳述すると、可動機構は、図７に示すように、筐体２１の上面２１ｂに筐体側回動アームＡ１を、第１ジョイントＪ１を介して回動可能に連結するとともに、台座３０の下面３０ｂに台座側回動アームＡ２を、第２ジョイントＪ２を介して回動可能に連結する。そして、筐体側回動アームＡ１の先端と台座側回動アームＡ２の先端間を、第３ジョイントＪ３を介して回動可能に連結する。
【００４７】
このとき、筐体側回動アームＡ１の先端と第３ジョイントＪ３との間、及び、台座側回動アームＡ２の先端と第３ジョイントＪ３との間には、それぞれ予め定めた摺動抵抗を持たせている。その摺動抵抗は、台座３０にある程度の力を加えないと筐体側回動アームＡ１と台座側回動アームＡ２とが相対回動はしないように設定されている。そして、ユーザが台座３０に対して力を加えて所定の傾斜角度の状態にしたとき、台座３０にプロジェクタ４０を載置していても、ユーザが力を加えない限りその状態が保持されるようになっている。
【００４８】
これによって、力を加えて台座３０を回動させることで、台座３０（プロジェクタ４０）は、その傾斜角度を無段階に設定することができる。
なお、この種の形態を変えて傾斜角度を無段階に設定する可動機構は、上記の図７の構成に限定されるものではない。例えば、一方向に伸縮する棒状に形成された複数のテレスコピックパイプからなる伸縮構造の伸縮部材で構成する。そして、伸縮部材の一端を、ユニバーサルジョイントを介して筐体２１の上面２１ｂに連結するとともに、伸縮部材の他端を、ユニバーサルジョイントを介して台座３０の下面３０ｂに連結する。そして、伸縮部材を、伸張することによって、台座３０は、その傾斜角度を無段階に設定される。
【００４９】
この場合同様に、伸縮部材の伸縮動作する際のその各テレスコピックパイプ間には、予め定めた摺動抵抗を持たせている。その摺動抵抗は、台座３０にある程度の力を加えないと伸縮部材が伸縮しないように設定されている。
【００５０】
そして、ユーザが台座３０に対して力を加えて所定の傾斜角度の状態にしたとき、台座３０にプロジェクタ４０を載置していても、ユーザが力を加えない限りその伸張した状態が保持されるようになっている。これによって、力を加えて台座３０を回動させることで、台座３０（プロジェクタ４０）は、その傾斜角度を無段階に設定することができる。
【００５１】
また、図８に示すように、図５に示す支持プレート５２、係合溝５５等を省略して、軸受け片５０と支軸５１との間、及び、支軸５１と台座３０との間に、予め設定した摺動抵抗をそれぞれ持たせる。その摺動抵抗は、台座３０にある程度の力を加えないと台座３０が筐体２１に対して回動はしないように設定されている。
【００５２】
そして、ユーザが台座３０に対して力を加えて所定の傾斜角度の状態にしたとき、台座３０にプロジェクタ４０を載置していても、ユーザが力を加えない限りその状態が保持されるようになっている。これによって、力を加えて台座３０を回動させることで、台座３０（プロジェクタ４０）は、その傾斜角度を無段階に設定することができる。
【００５３】
なお、台座３０を、無段階に傾動可能にし、かつ所定の傾斜角度で保持する連結固定部材の構造として、例えば、左右一対の軸受け片５０で台座３０の後側部を挟持固定する締め付け部材を設けて実施してもよい。つまり、台座３０を傾動させるときは、締め付け部材にて左右一対の軸受け片５０による台座３０の後側部の挟持を緩めて、台座３０を希望の傾斜角度に設定する。そして、台座３０を希望の傾斜角度に設定した後、締め付け部材にて左右一対の軸受け片５０で台座３０の後側部を締め付け固定し、台座３０を設定した傾斜角度に保持する。
【００５４】
これによっても、台座３０（プロジェクタ４０）は、その傾斜角度を無段階に設定することができる。
さらに、図９に示すように、筐体２１の上面２１ｂの左右両側部に一対の三角形状の支持側板６０を立設する。そして、左右一対の支持側板６０間に台座６１を回動可能に吊下する。詳述すると、台座６１は、プロジェクタ４０が載置される平板の台座部６２を有し、その台座部６２の左右両側にはそれぞれ三角形状の吊下板６３が上方に向かって延出形成されている。この左右一対の吊下板６３の上端部は、それぞれ対向する支持側板６０と支軸６４によって連結されている。
【００５５】
そして、それぞれの支持側板６０と支軸６４との間、及び、支軸６４と吊下板６３との間に、予め設定した摺動抵抗をそれぞれ持たせる。その摺動抵抗は、台座部にある程度の力を加えないと台座部６２が支持側板６０に対して回動はしないように設定されている。そして、ユーザが台座部６２に対して力を加えて所定の傾斜角度の状態にしたとき、台座部にプロジェクタ４０を載置していても、ユーザが力を加えない限りその状態が保持されるようになっている。
【００５６】
これによって、力を加えて台座部６２を回動させることで、台座部（プロジェクタ４０）は、その傾斜角度を無段階に設定することができる。
なお、この場合にも、台座部６２を、無段階に傾動可能にし、かつ所定の傾斜角度で保持する連結固定部材の構造として、例えば、左右一対の支持側板６０で左右一対の吊下板６３を挟持固定する締め付け部材を設けて実施してもよい。つまり、台座部６２を傾動させるときは、締め付け部材にて左右一対の支持側板６０による左右一対の吊下板６３の挟持を緩めて、台座部６２を希望の傾斜角度に設定する。そして、台座部６２を希望の傾斜角度に設定した後、締め付け部材にて左右一対の支持側板６０で吊下板６３を締め付け固定し、台座部６２を設定した傾斜角度に保持する。
【００５７】
これによっても、台座部６２（プロジェクタ４０）は、その傾斜角度を無段階に設定することができる。
○上記実施形態では、筐体２１の上面２１ｂに支持アーム３３を回動可能に設け、台座３０の下面３０ｂに嵌合する嵌合凹部３４を形成した。これを、台座３０の下面３０ｂに支持アーム３３を回動可能に設けて、筐体２１の上面２１ｂに嵌合する嵌合凹部３４を形成し、支持アーム３３の先端部を、嵌合凹部３４に嵌合させて、台座３０を所定の傾斜角度に保持するようにしてもよい。
【００５８】
上記実施形態では、給電装置１０は外部から商用電源を入力したが、２次電池の電源を入力して実施してもよい。
上記実施形態では、非接触アダプタ２０の筐体２１に設けた台座３０にプロジェクタ４０を載置したが、プロジェクタ４０に限定されるものではない。例えば、ノートパソコンやタブレット端末等、その他の電気機器を台座３０に載置して実施してもよいことは勿論である。
【符号の説明】
【００５９】
１…机、２…天板、２ａ…表面、１０…給電装置（非接触給電装置）、１１…給電コイル、１２…電源回路、１３…高周波インバータ、２０…非接触アダプタ、２１…筐体、２１ａ…後面、２１ｂ…上面、２１ｃ…後面、２２…受電コイル、２６…コンセント、２７…表示ランプ、２９…受電回路（電源回路部）、３０…台座、３０ａ…後面、３０ｂ…下面、３０ｃ…上面、３１…ヒンジ（傾斜角度調整部材、連結部材）、３２…収容凹部、３３…支持アーム（傾斜角度調整部材、支持部材、回動支持部材）、３４…嵌合凹部（嵌合保持部）、４０…プロジェクタ、４１…電源プラグ、５０…軸受け片、５１…支軸（連結固定部材）、５２…支持プレート、５３…軸受け部、５４…支軸、５５…係合溝（嵌合保持部）、５６…収容溝、５７…ストッパ、６０…支持側板、６１…台座、６２…台座部、６３…吊下板、６４…支軸（連結固定部材）、Ｔ１，Ｔ２…外部出力端子、Ｔ３，Ｔ４…出力端子（出力部）、Ｔ６，Ｔ７…プラグ端子、Ａ１…筐体側回動アーム（傾斜保持部材）、Ａ２…台座側回動アーム（傾斜保持部材）、Ｊ１〜Ｊ３…第１〜第３ジョイント（傾斜保持部材）、Ｏ…軸線。
【図１】
2014099953.tif 000003
【図２】
2014099953.tif 000004
【図３】
2014099953.tif 000005
【図４】
2014099953.tif 000006
【図５】
2014099953.tif 000007
【図６】
2014099953.tif 000008
【図７】
2014099953.tif 000009
【図８】
2014099953.tif 000010
【図９】
2014099953.tif 000011